(57)【要約】【課題】  デバイスを接続するために必要な制御部の端子数を削減できる信号切替装置を提供する。【解決手段】  機器の動作を制御する制御部１０３と、複数のデバイスとしての正面カメラ１１１、背面カメラ１０８とを有する電子機器に適用され、制御部１０３と正面カメラ１１１、背面カメラ１０８との間で出力および／または出力すべき異なるデータ形式の複数の映像信号を選択的に制御部１０３に接続する信号切替装置（ＳＷ）１１０である。ＳＷ１１０は、複数の信号それぞれに含まれる信号ライン信号ラインｓ１１１−１〜ｓ１１１−４、信号ラインｓ１１６−１〜ｓ１１６−８のうち、信号ラインｓ１１１−１〜ｓ１１１−４、信号ラインｓ１１６−１〜ｓ１１６−４を、選択的に制御部１０３に接続する。【選択図】  図３
2011090536.tif 000002
【特許請求の範囲】
【請求項１】
機器の動作を制御する制御部と、複数のデバイスとを有する電子機器に適用され、前記複数のデバイスのいずれかから前記制御部に入力すべき、または、前記複数のデバイスのいずれかに前記制御部から出力すべき異なるデータ形式の複数の信号を、選択的に前記制御部に入力または前記制御部から出力する信号切替装置であって、
前記制御部と前記複数のデバイスとの間に設けられ、前記複数の信号それぞれに対応する複数の信号ラインのうちの少なくとも一部の信号ラインを、選択的に前記制御部に接続することを特徴とする信号切替装置。
【請求項２】
前記少なくとも一部の信号ラインは、前記複数の信号に共通に含まれる信号成分に対応した信号ラインである請求項１に記載の信号切替装置。
【請求項３】
前記制御部は、ＩＣと、ＩＣを搭載した回路基板とによって構成されている請求項１または２に記載の信号切替装置。
【請求項４】
半導体を用いたソリッドなスイッチデバイスによって構成されている請求項１乃至３のいずれか一項に記載の信号切替装置。
【請求項５】
前記複数のデバイスは、カメラであって、各カメラから前記制御部に入力すべき信号は、ＬＶＤＳ形式の映像信号と、ＹＵＶ形式の映像信号とである請求項１乃至４のいずれか一項に記載の信号切替装置。
【請求項６】
前記複数のデバイスは、ディスプレイであって、各ディスプレイに前記制御部から出力すべき信号は、映像信号である請求項１乃至５のいずれか一項に記載の信号切替装置。
【請求項７】
請求項１乃至６のいずれか一項に記載の信号切替装置と、前記制御部と、前記複数のデバイスとを有することを特徴とする電子機器。
【請求項８】
請求項１乃至６のいずれか一項に記載の信号切替装置と、前記制御部と、前記複数のデバイスとを有することを特徴とする携帯電話機。
【発明の詳細な説明】
【技術分野】
【０００１】
本発明は、携帯電話機に搭載された２つのカメラがそれぞれ出力する映像信号等、電子機器に搭載された同種類の複数のデバイスが出力するデータ形式が異なる複数の信号を選択的に電子機器の制御部に接続する信号切替装置に関する。
【背景技術】
【０００２】
この種の信号切替手段を有する電子機器の例としての携帯電話機を、図１を参照して説明する。図１を参照すると、この携帯電話機６００は、アンテナ（ＡＮＴ）１０１が接続された送受信回路（ＴＲＸ）１０２と、ＬＣＤ（Liquid Crystal Display）等の正面ディスプレイ１１３および背面ディスプレイ１１５と、記憶部１１２と、キーボード、ポインティングデバイス等の操作部１０４と、マイクロフォン１０５と、レシーバ１０６と、スピーカ１０７と、正面カメラ１１１および背面カメラ１０８の２つのカメラと、ＤＳＰ（Digital Signal Processor）１１６と、本携帯電話機の動作全般を制御する制御部１１７とを有している。制御部１１７は、ＣＰＵ（Central Processing Unit）として、ワンチップのＩＣ（Integrated Circuit）によって構成されている。
【０００３】
携帯電話機６００における信号切替手段は、正面カメラ１１１からの映像信号と、背面カメラ１０８が接続されたＤＳＰ１１６からの映像信号とを切り替えるものであり、制御部１１７の一部によって構成されている。
【０００４】
ここで、正面カメラ１１１からの映像信号のデータ形式は、例えば、ＬＶＤＳ（Low Voltage Differential Signaling）形式であり、制御部１１７に入力されるべき映像信号は複数の信号成分から成り、これら複数の信号成分には、信号ラインｓ１１１−１〜ｓ１１１−４の４ラインが対応している。一方、背面カメラ１０８からの映像信号のデータ形式は、例えば、ＹＵＶ（輝度色差）形式であり、ＤＳＰ１１６を経て制御部１１７に入力されるべき映像信号は複数の信号成分から成り、これら複数の信号成分には、信号ラインｓ１１６−１〜ｓ１１６−８の８ラインが対応している。
【０００５】
尚、正面カメラおよび背面カメラを搭載した携帯電話機の類は、例えば、特許文献１、２に開示されている。ただし、両文献に開示された携帯電話機のどちらにおいても、正面カメラおよび背面カメラからの映像信号のデータ形式は同じである。
【先行技術文献】
【特許文献】
【０００６】
【特許文献１】特開２００３−１８９１６８号公報
【特許文献２】特開２００４−１６６１５９号公報
【発明の概要】
【発明が解決しようとする課題】
【０００７】
しかし、図１に示された信号切替装置として動作する制御部１１７には、正面カメラ１１１からの映像信号に対応した信号ラインｓ１１７−１〜ｓ１１７−４の４ラインと、背面カメラ１０８が接続されたＤＳＰ１１６からの映像信号に対応した信号ラインｓ１１６−１〜ｓ１１６−８の８ラインとの合計１２ラインもの信号線が定常的に接続されていることになる。即ち、制御部１１７は、両カメラから選択的に（排他的に）映像信号を入力するために、１２個もの映像信号入力用の端子を備えている。
【０００８】
ここで、制御部１１７を構成するこの種のＩＣは、これを有する携帯電話機に対する小型化や省電力化の要求に応じて小型化が要求される反面、携帯電話機に対する多機能化の要求に応じてボール端子等の端子の高密度化が要求されている。このような事情に対し、上記のように多数の映像信号線があることは、ＩＣならびにこれが搭載される基板の設計に対して足かせとなる。また、信号線数が多いことにより、容量成分が増大するなどし、信号波形やタイミングに悪影響する可能性もある。
【０００９】
それ故、本発明の課題は、デバイスを接続するために必要な制御部の端子数を削減できる信号切替装置を提供することである。
【００１０】
本発明の他の課題は、そのような信号切替装置を有する携帯電話機を提供することである。
【課題を解決するための手段】
【００１１】
本発明によれば、機器の動作を制御する制御部と、複数のデバイスとを有する電子機器に適用され、前記複数のデバイスのいずれかから前記制御部に入力すべき、または、前記複数のデバイスのいずれかに前記制御部から出力すべき異なるデータ形式の複数の信号を、選択的に前記制御部に入力または前記制御部から出力する信号切替装置であって、前記制御部と前記複数のデバイスとの間に設けられ、前記複数の信号それぞれに対応する複数の信号ラインのうちの少なくとも一部の信号ラインを、選択的に前記制御部に接続することを特徴とする信号切替装置が得られる。
【００１２】
前記少なくとも一部の信号ラインは、前記複数の信号に共通に含まれる信号成分に対応した信号ラインであってもよい。
【００１３】
前記制御部は、ＩＣと、ＩＣを搭載した回路基板とによって構成されていてもよい。
【００１４】
半導体を用いたソリッドなスイッチデバイスによって構成されていてもよい。
【００１５】
前記複数のデバイスは、カメラであって、各カメラから前記制御部に入力すべき信号は、ＬＶＤＳ形式の映像信号と、ＹＵＶ形式との映像信号であってもよい。
【００１６】
前記複数のデバイスは、ディスプレイであって、各ディスプレイに前記制御部から出力すべき信号は、映像信号であってもよい。
【００１７】
また、本発明によれば、前記信号切替装置と、前記制御部と、前記複数のデバイスとを有することを特徴とする電子機器が得られる。
【００１８】
さらに、本発明によれば、前記信号切替装置と、前記制御部と、前記複数のデバイスとを有することを特徴とする携帯電話機が得られる。
【発明の効果】
【００１９】
本発明による信号切替装置は、デバイスを接続するために必要な制御部の端子数を削減できる。
【図面の簡単な説明】
【００２０】
【図１】本発明の関連技術による信号切替装置を有する携帯電話機を示すブロック図である。
【図２】本発明の実施例１による信号切替装置が適用された携帯電話機を示す図であり、（ａ）は正面から見た斜視図、（ｂ）は背面図である。
【図３】本発明の実施例１による信号切替装置を有する携帯電話機を示すブロック図である。
【図４】図３に示された信号切替装置を有する携帯電話機の動作を説明するためのブロック図である。
【図５】図３に示された信号切替装置を有する携帯電話機の動作を説明するためのフロー図である。
【図６】図３に示された信号切替装置を有する携帯電話機の動作を説明するためのブロック図である。
【図７】図３に示された信号切替装置を有する携帯電話機の動作を説明するためのフロー図である。
【図８】本発明の実施例２による信号切替装置を有する携帯電話機を示すブロック図である。
【発明を実施するための形態】
【００２１】
本発明による信号切替装置は、機器の動作を制御する制御部と、複数のデバイスとを有する電子機器に適用される。尚、制御部と複数のデバイスとの間では、異なるデータ形式の複数の信号が、出力および／または入力される。
【００２２】
特に、本信号切替装置は、複数の信号それぞれに対応する複数の信号ラインのうちの少なくとも一部の信号ラインを、選択的に制御部に接続する。
【００２３】
上記構成により、本信号切替装置は、デバイスを接続するために必要な制御部の端子数を削減できる。
【００２４】
即ち、制御部をＩＣによって構成する場合、その小型化や端子の高密度化の要求に対し有利である。また、従前はデバイス接続のために必要であった端子が空き端子となり、他のインターフェイスに割り当てることができ、小型化、高密度化に加え、ＩＣならびにこれが搭載される基板の設計の自由度が高まる。さらに、制御部に定常的に接続される信号線数を削減することにより、その配線の容量を抑制することができ、信号波形やタイミングへの悪影響を回避することができる。
【実施例】
【００２５】
以下、図面を参照して、本発明による信号切替装置、本信号切替装置を有する電子機器のより具体的な実施例を詳細に説明する。尚、実施例において、図１に示された関連技術と同一または同要部には、同一符号を付している。
【００２６】
［実施例１］
図２、図３を参照すると、本発明の実施例１による信号切替装置は、電子機器としての携帯電話機１００に適用されている。
【００２７】
携帯電話機１００は、アンテナ（ＡＮＴ）１０１が接続された送受信回路（ＴＲＸ）１０２と、ＬＣＤ等の正面ディスプレイ１１３および背面ディスプレイ１１５と、記憶部１１２と、キーボード、ポインティングデバイス等の操作部１０４と、マイクロフォン１０５と、レシーバ１０６と、スピーカ１０７と、正面カメラ１１１および背面カメラ１０８の２つのカメラと、ＤＳＰ１０９と、携帯電話機１００の動作全般を制御する制御部１０３とを有している。制御部１０３は、ＣＰＵとして、ワンチップのＩＣによって構成され、図示しないメイン回路基板上に搭載されている。
【００２８】
ここで、正面カメラ１１１からの映像信号のデータ形式は、例えば、ＬＶＤＳ形式であり、制御部１０３に入力されるべき映像信号は複数の信号成分から成り、これら複数の信号成分には、信号ラインｓ１１１−１〜ｓ１１１−４の４ラインが対応している。一方、背面カメラ１０８からの映像信号のデータ形式は、例えば、ＹＵＶ形式であり、ＤＳＰ１０９を経て制御部１０３に入力されるべき映像信号は複数の信号成分から成り、これら複数の信号成分には、信号ラインｓ１０９−１〜ｓ１０９−８の８ラインが対応している。
【００２９】
特に、携帯電話機１００は、制御部１０３と正面カメラ１１１および背面カメラ１０８との間に設けられ、正面カメラ１１１からの映像信号に対応する信号ラインｓ１１１−１〜ｓ１１１−４と、背面カメラ１０８からの映像信号に対応する信号ラインｓ１０９−１〜ｓ１０９−８のうちの信号ラインｓ１０９−１〜ｓ１０９−４とを、制御部１０３からの要求に応じて、選択的に制御部１０３に接続する信号切替装置としてのスイッチ部（ＳＷ）１１０を有している。尚、スイッチ部１１０は、半導体を用いたソリッドなスイッチデバイスである。
【００３０】
このような構成により、両カメラから選択的に（排他的に）映像信号を入力するために、図１に示された関連技術においては１２個もの映像信号入力用の端子を制御部１１７に設ける必要があったのに対し、本実施例においては、８個の映像信号入力用の端子を制御部１０３に設ければよく、必要な端子数が削減されている。
【００３１】
尚、本例において、信号ラインｓ１１１−１〜ｓ１１１−４と、信号ラインｓ１０９−１〜ｓ１０９−４とは、正面カメラ１１１からの映像信号と、背面カメラ１０８からＤＳＰ１０９を経た映像信号とに共通に含まれる信号成分に対応している。ただし、本発明において、信号切替装置に入力される複数の信号は、相互に共通の信号成分がなくてもよい。この場合には、相互に異なる複数の形式であり、かつ共通の信号成分が無い複数の信号を制御部が対応可能な単一のデータ形式に変換する信号変換回路を信号切替装置に設け、単一のデータ形式に変換した信号を各デバイスから制御部に入力するか、あるいは、各デバイスに制御部から出力するようにする。
【００３２】
次に、本信号切替装置を有する携帯電話機１００の動作を、図４〜図７を参照して説明する。
【００３３】
携帯電話機１００は、正面カメラ１１１を用いる場合、次のように動作する。
【００３４】
図４および図５を参照すると、ステップＳｔ１１において、制御部１０３は、正面カメラ１１１起動のための内部設定を実施する。
【００３５】
設定完了後、ステップＳｔ１２において、制御部１０３からスイッチ部１１０にスイッチ切り替えの制御信号が送出され、正面カメラ１１１側のパス（正面カメラ１１１→スイッチ部１１０→制御部１０３）が形成される。
【００３６】
次に、ステップＳｔ１３において制御部１０３が正面カメラ１１１の初期設定を実施後、ステップＳｔ１４において、正面カメラ１１１からスイッチ部１１０に映像信号が信号ラインｓ１１１−１〜ｓ１１１−４を介して出力される。
【００３７】
そして、ステップＳｔ１５において、スイッチ部１１０から制御部１０３に正面カメラ１１１の映像信号が信号ラインｓ１１０−１〜ｓ１１０−４を介して出力される。
【００３８】
制御部１０３は、ステップＳｔ１６において映像信号を表示用のデータ形式に変換した上で正面ディスプレイ１１３に出力して表示させると共に、ステップＳｔ１７において映像信号を保存用のデータ形式に変換した上で記憶部１１２に出力して記憶させる。
【００３９】
一方、携帯電話機１００は、背面カメラ１０８を用いる場合、次のように動作する。
【００４０】
図６および図７を参照すると、ステップＳｔ２１において、制御部１０３は、背面カメラ１０８起動のための内部設定を実施する。
【００４１】
設定完了後、ステップＳｔ２２において、制御部１０３からスイッチ部１１０にスイッチ切り替えの制御信号が送出され、背面カメラ１０８側のパス（背面カメラ１０８→ＤＳＰ１０９→スイッチ部１１０→制御部１０３）が形成される。
【００４２】
次に、ステップＳｔ２３において制御部１０３が背面カメラ１０８の初期設定を実施後、ステップＳｔ２４において背面カメラ１０８からＤＳＰ１０９を経て映像信号の一部がスイッチ部１１０に信号ラインｓ１０９−１〜ｓ１０９−４を介して出力される。
【００４３】
そして、ステップＳｔ２５においてスイッチ部１１０から制御部１０３に背面カメラ１０８からの映像信号の一部が信号ラインｓ１１０−１〜ｓ１１０−４を介して出力されると共に、ステップＳｔ２６においてＤＳＰ１０９から制御部１０３に背面カメラ１０８からの映像信号の残部が信号ラインｓ１０９−５〜ｓ１０９−８を介して出力される。
【００４４】
制御部１０３は、ステップＳｔ２７において映像信号を表示用のデータ形式に変換した上で正面ディスプレイ１１３に出力して表示させると共に、ステップＳｔ２８において映像信号を保存用のデータ形式に変換した上で記憶部１１２に出力して記憶させる。
【００４５】
［実施例２］
本発明の実施例２は、制御部と複数のディスプレイとの間に設けられ、複数のディスプレイに入力されるべきデータ形式の異なる複数の信号それぞれに対応する複数の信号ラインのうちの少なくとも一部の信号ラインを選択的に制御部に接続する信号切替装置を有している点で、実施例１と異なる。このため、実施例１と同一または同様の部分については、詳細な説明を省略する。
【００４６】
図８を参照すると、本発明の実施例２による信号切替装置は、電子機器としての携帯電話機２００に適用されている。
【００４７】
携帯電話機２００は、アンテナ（ＡＮＴ）１０１が接続された送受信回路（ＴＲＸ）１０２と、正面ディスプレイ１１３および背面ディスプレイ１１５の２つのディスプレイと、記憶部１１２と、操作部１０４と、マイクロフォン１０５と、レシーバ１０６と、スピーカ１０７と、正面カメラ１１１および背面カメラ１０８と、ＤＳＰ１０９と、スイッチ部１１０と、携帯電話機１００の動作全般を制御する制御部１０３’とを有している。制御部１０３’は、ＣＰＵとして、ワンチップのＩＣによって構成され、図示しないメイン回路基板上に搭載されている。
【００４８】
ここで、正面ディスプレイ１１３に入力されるべき表示用の映像信号のデータ形式と、背面ディスプレイ１１５に入力されるべき表示用の映像信号のデータ形式とは、互いに異なっている。両映像信号はそれぞれ、複数の信号成分か成り、両信号に共通の信号成分もないものとする。
【００４９】
特に、携帯電話機２００は、制御部１０３と正面ディスプレイ１１３および背面ディスプレイ１１５との間に設けられ、正面ディスプレイ１１３に入力されるべき映像信号に対応する信号ラインと、背面ディスプレイ１１５に入力されるべき映像信号に対応する信号ラインとを、制御部１０３’からの要求に応じて、選択的に制御部１０３’に接続する信号切替装置としてのスイッチ部（ＳＷ）１１４を有している。尚、スイッチ部１１４は、半導体を用いたソリッドなスイッチデバイスを含んでいる。
【００５０】
尚、本例において、スイッチ部１１４は、図示はしないが、制御部１０３’がスイッチ部１１４に対して出力する単一のデータ形式の表示用の映像信号を、正面ディスプレイ１１３および背面ディスプレイ１１５それぞれに適したデータ形式に変換する信号変換回路を有し、変換済みの信号を各ディスプレイに対して出力するようになっている。
【００５１】
このような構成により、両ディスプレイに選択的に（排他的に）表示用の映像信号を出力するために、図１に示された関連技術や実施例１においては多数の映像信号出力用の端子を制御部に設ける必要があったのに対し、本実施例においては、スイッチ部１１４に接続する少数の端子を制御部１０３’に設ければよく、必要な端子数が削減されている。
【産業上の利用可能性】
【００５２】
以上説明した実施例に限定されることなく、本発明は、当該特許請求の範囲に記載された技術範囲内であれば、種々の変形が可能であることは云うまでもない。例えば、本発明は、携帯電話機に限らず、ＰＤＡ、パーソナルコンピュータ、デジタルカメラ、ムービーカメラ、ゲーム機、ディスプレイ機器、テレビ機器等の複数のデバイスと信号切替装置とを有する電子機器全般に適用可能である。
【符号の説明】
【００５３】
１００、２００    携帯電話機
１０１    アンテナ（ＡＮＴ）
１０２    送受信回路（ＴＲＸ）
１０３、１０３’  制御部
１０４    操作部
１０５    マイクロフォン
１０６    レシーバ
１０７    スピーカ
１０８    背面カメラ
１０９    ＤＳＰ
１１０    スイッチ部（ＳＷ）
１１１    正面カメラ
１１２    記憶部
１１３    正面ディスプレイ
１１４    スイッチ部（ＳＷ）
１１５    背面ディスプレイ
ｓ１０９−１〜ｓ１０９−８  信号ライン
ｓ１１０−１〜ｓ１１０−４  信号ライン
ｓ１１１−１〜ｓ１１１−４  信号ライン
【図１】
2011090536.tif 000003
【図２】
2011090536.tif 000004
【図３】
2011090536.tif 000005
【図４】
2011090536.tif 000006
【図５】
2011090536.tif 000007
【図６】
2011090536.tif 000008
【図７】
2011090536.tif 000009
【図８】
2011090536.tif 000010